(57)【要約】特別なツールおよび／または訓練を必要とすることなく、火器の銃床の効率的で、迅速かつ安全な変更を容易にする火器の銃床コネクタが必要である。本発明は、一般に、火器に関し、特に、火器についての銃床の構成の、容易かつ迅速な取り外しおよび変更を可能にするためのコネクタシステムに関する。銃床コネクタ（５）は、種々の銃床（１２０）が火器受け器（１１０）へ安全に装着されることを可能にする。この銃床（１２０）は、特別なツールを使用しなくても、野外で容易にかつ素早く変更され得る。
2007525636.tif 000002
【特許請求の範囲】
【請求項１】
火器であって、以下：
銃身；
該銃身に作動可能に接続されている受け器；
銃床；
該受け器および該銃床のうちの一方に接続されている第１のコネクタ；
該受け器および該銃床のうちの他方に接続されている第２のコネクタ；ならびに
該火器の長手軸に対してほぼ横方向に延びるロック部材であって、該第１のコネクタおよび第２のコネクタは、あり継ぎロック配置によって、該受け器を該銃床に接続し、そして該ロック部材は、該第１のコネクタを該第２のコネクタに対して固定する、ロック部材、
を備える、火器。
【請求項２】
前記第１のコネクタは、係合突起を備え、該係合突起は、前記あり継ぎロック配置の一部を形成する、請求項１に記載の火器。
【請求項３】
前記第２のコネクタは、前記係合突起を受容するように適合されかつ前記あり継ぎロック配置の一部を形成するあり継ぎ溝を備える、請求項２に記載の火器。
【請求項４】
前記第２のコネクタは、該第２のコネクタを貫通して延びるほぼ横方向の受容開口部をさらに備え、前記ロック部材は、該受容開口部の中に受容されるように適合されている、請求項３に記載の火器。
【請求項５】
前記第１のコネクタは、前記係合突起においてほぼ横方向の溝をさらに備え、前記火器は、該係合突起が該あり継ぎ溝内に配置された場合に、組み立てられた状態になり、前記ロック部材は、前記受容開口部の中に受容されかつ該ほぼ横方向の溝に接している、請求項４に記載の火器。
【請求項６】
前記第１のコネクタは、留め具をさらに備え、該留め具は、前記受け器に接続されかつ該第１のコネクタの中の孔を通じて延びている、請求項１に記載の火器。
【請求項７】
前記第２のコネクタは、該第２のコネクタを貫通して延びるほぼ横方向の受容開口部をさらに備え、前記ロック部材は、該受容開口部の中に受容されるように適合されている、請求項１に記載の火器。
【請求項８】
前記受容開口部は、以下：
前記第２のコネクタの第１側面を貫通して延びる、第１のほぼ横方向の孔；
該第２のコネクタの第２側面を貫通して延びる、第２のほぼ横方向の孔；および
該第１の孔と該第２の孔との間に延びる中央溝、
とを備える、請求項７に記載の火器。
【請求項９】
前記第１のコネクタは、前記係合突起から延びる止め突出部を備える、請求項１に記載の火器。
【請求項１０】
前記第１のコネクタと第２のコネクタとが接続されている場合に、該第２のコネクタは、前記止め突出部に隣接している止め溝を備える、請求項９に記載の火器。
【請求項１１】
前記ロック部材を固定するためにバネ装填保持デバイスをさらに備える、請求項１に記載の火器。
【請求項１２】
前記銃床は、銃グリップ、ライフルバット、および折りたたみ銃床のうちの１つを備える、請求項１に記載の火器。
【請求項１３】
火器の受け器を火器の銃床に接続するための銃床コネクタであって、以下：
係合突起を有する第１のコネクタであって、該係合突起は、溝を有する、第１のコネクタ；
該係合突起を受容するように適合されたあり継ぎ溝と、ほぼ横方向の受容開口部とを有する、第２のコネクタ；ならびに
該係合突起が、該あり継ぎ溝の中に取り付けられている場合に、受容開口部の中に受容されかつ該第１のコネクタにおける該溝に入るように適合されている、ロック部材、
を備える、銃床コネクタ。
【請求項１４】
前記第１のコネクタは、前記係合突起から延びる止め突出部を備える、請求項１３に記載の銃床コネクタ。
【請求項１５】
前記第２のコネクタは、前記あり継ぎ溝において止め溝を備え、該止め溝は、前記係合突起が該あり継ぎ溝の中に取り付けられている場合に、前記止め突出部に隣接している、請求項１４に記載の銃床コネクタ。
【請求項１６】
前記第２のコネクタは、該第２のコネクタを貫通して延びるほぼ横方向の受容開口部を備え、前記ロック部材は、該受容開口部の中に受容されるように適合されている、請求項１３に記載の銃床コネクタ。
【請求項１７】
前記係合突起における溝は、該係合突起が前記あり継ぎ溝の中に受容される場合に、前記第２のコネクタにおける前記受容開口部に対して実質的に平行に延びる、請求項１３に記載の銃床コネクタ。
【請求項１８】
火器の受け器を火器の銃床に接続するための銃床コネクタであって、以下：
第１のコネクタであって：
該第１のコネクタを、該銃床または受け器のうちの一方に接続するための手段；
溝を有する係合突起、
を備える、第１のコネクタ；ならびに
第２のコネクタであって：
該第２のコネクタを、該銃床または受け器のうちの一方に接続するための手段；
該係合突起をスライド可能に受容するように適合されている、あり継ぎ溝；
該第２のコネクタを貫通して延びる、ほぼ横方向の受容開口部；および
該係合突起が該あり継ぎ溝の中に取り付けられている場合に、該受容開口部の中で受容されかつ該第１のコネクタにおける溝に入るように適合されている、ロック部材であって、該係合突起における溝は、該係合突起が該あり継ぎ溝の中に取り付けられている場合に、該第２のコネクタにおける該受容開口部に対して実質的に平行に延びる、ロック部材、
を備える、銃床コネクタ。
【請求項１９】
前記第１のコネクタは、前記係合突起から延びる止め突出部を備える、請求項１８に記載の銃床コネクタ。
【請求項２０】
前記第２のコネクタは、前記あり継ぎ溝において止め溝を備え、該止め突出部は、該係合突起が前記あり継ぎ溝の中に取り付けられる場合に、該止め溝を係合する、請求項１９に記載の銃床コネクタ。
【請求項２１】
前記ロック部材を固定するために、バネ負荷された保持デバイスをさらに備える、請求項１８に記載の銃床コネクタ。
【請求項２２】
火器の受け器を火器の銃床に接続するための銃床コネクタであって、以下：
火器の第１の部分に接続されるように適合されている、第１のコネクタ；
火器の第２の部分に接続されるように適合されている、第２のコネクタであって、ここで該第１のコネクタは、該第２のコネクタを貫通して延びかつ該第１のコネクタと係合可能である、ほぼ横方向の受容開口部を備える、第１のコネクタ；ならびに
該第１のコネクタと第２のコネクタとが係合される場合に、該受容開口部の中に受容されかつ該第１のコネクタを該第２のコネクタに固定するように適合されている、ロック部材
を備える、銃床コネクタ。
【請求項２３】
前記第１のコネクタは溝を備え、前記ロック部材は、前記第１のコネクタと第２のコネクタとが係合される場合に、該溝に入るように適合され、該溝において該ロック部材があることで、該第２のコネクタに対して該第１のコネクタの位置を固定する、請求項２２に記載の銃床コネクタ。
【請求項２４】
前記第１のコネクタは、第１の方向に沿って前記第２のコネクタとスライド可能に係合可能であり、前記ロック部材は、該第１のコネクタと第２のコネクタとを固定する場合に、該第１の方向に対して実質的に垂直の第２の方向に沿って延びる、請求項２２に記載の銃床コネクタ。
【請求項２５】
前記第１のコネクタは、以下：
前面；
後面；
該前面から該後面に延びる、孔；
該孔の中に受容されるように適合されている、留め具；および
該前面の外周の周りに拡がる、周囲リリーフ
を備える、請求項２２に記載の銃床コネクタ。
【請求項２６】
前記第１のコネクタは、止め突出部をさらに備える、請求項２２に記載の銃床コネクタ。
【請求項２７】
火器を組み立てる方法であって、以下：
受け器に、該受け器に接続されている銃身を提供する工程；
銃床を提供する工程；
第１のコネクタを提供する工程；
第２のコネクタを提供する工程；
該第１のコネクタを該受け器に装着する工程；
該第２のコネクタを該銃床に装着する工程；
該第１のコネクタと該第２のコネクタとを、第１の方向に沿ってスライド可能に係合する工程；および
該ロック部材を第２の方向に沿って挿入することにより、ロック部材と該第１のコネクタおよび該第２のコネクタとを係合することによって、該第１のコネクタを該第２のコネクタに対して固定する工程であって、該第２の方向は、該第１の方向に対してほぼ横方向である、工程、
を包含する、方法。
【請求項２８】
前記第１のコネクタおよび第２のコネクタは、あり継ぎ係合でスライド可能に係合する、請求項２７に記載の方法。
【請求項２９】
前記第２のコネクタと前記第１のコネクタとのスライド可能な係合は、前記銃身の軸の中心線に対してほぼ横方向の平面に沿っている、請求項２７に記載の方法。
【請求項３０】
火器の銃床を変更するためのキットであって、以下：
第１のコネクタ；
第１の銃床；
該第１の銃床とは構成が異なる、第２の銃床；
該第１の銃床に接続するように適合されている、第２のコネクタ；
該第２の銃床に接続するように適合されている、第２のコネクタ；ならびに
ロック部材
を備え、ここで該第１のコネクタは、両方の第２のコネクタとスライド可能に係合可能であり、該ロック部材は、該第１のコネクタおよび両方の第２のコネクタと係合可能である、キット。
【請求項３１】
前記第１のコネクタは、あり継ぎ係合で前記第２のコネクタの各々とスライド可能に係合可能である、請求項３０に記載のキット。
【発明の詳細な説明】
【技術分野】
【０００１】
（技術分野）
本発明は、一般に、火器に関し、特に、火器についての銃床の構成の、容易かつ迅速な取り外しおよび変更を可能にするためのコネクタシステムに関する。
【背景技術】
【０００２】
（背景）
火器、および主にライフル、散弾銃および他の銃身が長い銃（ｌｏｎｇ  ｇｕｎ）は、伝統的な標準長の銃床から、銃グリップおよび折りたたみ式銃床および他のデザインに至るまで、ますます、種々の異なる銃床の構成またはデザインで製造されている。より快適にフィットしかつより快適な感覚を覚えるように、所持者が火器をカスタマイズし、そして／または火器を種々の使命の要件に適合させることを可能にするアフターマーケットの銃床に対する要求が高まっている。最近では、火器は、スライド式継ぎ手（例えば、「Ｔ字型スロット」）およびロックネジを使用して、銃床の着脱が容易にできるようになっている。例えば、ＦＮ−Ｍ２４０機関銃は、スロット付き接続配置を備える。
【０００３】
しかし、大部分のライフルおよび散弾銃の銃床は、一般に、容易に取り外しできるようには設計されておらず、代わりに、取り外しのために特別なツールを要するネジ、ボルトなどで所定の位置に固定されている。既存の配置はまた、銃床の取り外しまたは変更にかなりの時間および努力を要し、変更は、多くの場合、訓練を積んだ銃工によって行われなければならない。このような制限は、在来型の銃床の構成の取り外し、交換および変更を、特に野外にいる場合には、妨げている。
【発明の開示】
【発明が解決しようとする課題】
【０００４】
よって、特別なツールおよび／または訓練を必要とすることなく、火器の銃床の効率的で、迅速かつ安全な変更を容易にする火器の銃床コネクタが必要であることが理解され得る。
【課題を解決するための手段】
【０００５】
（要旨）
第１の局面によれば、火器は、軸を有する銃身；受け器；銃床；上記受け器に接続されている第１のコネクタ；上記銃床に接続されている第２のコネクタ；および上記火器の長手軸に対してほぼ横方向に延びるロック部材を備え、ここで上記第１のコネクタおよび第２のコネクタは、あり継ぎ（ｄｏｖｅｔａｉｌ）ロック配置によって、上記受け器を上記銃床に接続し、そして上記ロック部材は、上記第１のコネクタを第２のコネクタに対して固定する。
【０００６】
第２の局面によれば、火器を組み立てる方法は、第１のコネクタを受け器に装着する工程；第２のコネクタを銃床に装着する工程；上記第１のコネクタと第２のコネクタとを、第１の方向に沿ってスライド可能に係合する工程；ならびにロック部材を第２の方向に沿って挿入することにより、上記ロック部材と上記第１のコネクタおよび第２のコネクタとを係合することによって、上記第１のコネクタを上記第２のコネクタに対して固定する工程であって、上記第２の方向は、上記第１の方向に対してほぼ横方向である、工程、を包含する。
【０００７】
第３の局面によれば、火器の受け器を火器の銃床に接続するための銃床コネクタは、係合突起（ｅｎｇａｇｅｍｅｎｔ  ｌｕｇ）を有する第１のコネクタであって、上記係合突起は、溝を有する、第１のコネクタ；上記係合突起を受容するように適合されたあり継ぎ溝をと、ほぼ横方向の受容開口部と有する、第２のコネクタ；ならびに上記係合突起が、上記あり継ぎ溝の中に取り付けられている場合に、上記受容開口部の中に受容されかつ上記第１のコネクタにおける溝に入るように適合されている、ロック部材、を備える。
【０００８】
第４の局面によれば、銃床コネクタは、火器の第１の部分に接続されるように適合されている、第１のコネクタ；火器の第２の部分に接続されるように適合されている、第２のコネクタ（ここで上記第１のコネクタは、上記第２のコネクタを貫通して延びかつ上記第１のコネクタと係合可能である、ほぼ横方向の受容開口部を備える）；ならびに上記受容開口部の中に受容されかつ上記第１のコネクタと第２のコネクタとがスライド可能に係合される場合に、上記第１のコネクタを上記第２のコネクタに固定するように適合されている、ロック部材を備える。
【０００９】
第５の局面によれば、火器の銃床を変更するためのキットは、第１のコネクタ；第１の銃床；上記第１の銃床とは構成が異なる、第２の銃床；上記第１の銃床に接続するように適合されている、第２のコネクタ；上記第２の銃床に接続するように適合されている、別の第２のコネクタ；ならびにロック部材を備え、ここで上記第１のコネクタは、両方の第２のコネクタとスライド可能に係合可能であり、上記ロック部材は、上記第１のコネクタおよび両方の第２のコネクタと係合可能である。
【００１０】
上記の局面によれば、火器の銃床は、容易に取り外すことができかつ代わりの銃床と交換することができるか、または手入れをするか、そうでなければこの火器を維持管理するために単に取り外すことができる。この銃床コネクタは、銃床を取り外すために何ら特別なツールも特別な技能も要求しないように、構築され得る。上記第１のコネクタおよび第２のコネクタ、ならびに上記ロック部材は、上記受け器と銃床との間のしっかりとした接続を確実にするために、特別な公差内で製造され得る。
【発明を実施するための最良の形態】
【００１１】
（詳細な説明）
図１は、受け器１１０および銃床１２０を備える、部分的に分解された火器１００を示す。本実施形態に従う銃床コネクタ５は、受け器１１０と銃床１２０とが接続される機構である。この火器１００は、例えば、散弾銃、ライフルまたは他の長い銃身の銃であり得る。この銃床コネクタ５は、一般に、第１のまたは前側コネクタ１０（このコネクタは、この受け器１１０の後端１０２に装着されるように適合されている）、および第２のまたは後側コネクタ６０（このコネクタは、銃床１２０の前端１２２に装着されるように適合されている）を備える。ロック部材６４のような、図１に示されるロック機構は、第１のコネクタ１０を第２のコネクタ６０に固定する。
【００１２】
図２は、銃床コネクタ５の構成要素を詳細に図示する斜視図である。図３は、銃床コネクタ５の後ろ側からみた斜視図である。図２および３に示されるように、この第１のコネクタ１０は、係合突起４０を備え、この係合突起４０は、第２のコネクタ６０の突出部またはアーム６８、７０とスライド可能に係合するかまたはこれをロックするように適合されている。このアーム６８、７０および係合突起４０は、あり継ぎロック配置を形成し、この配置において、この係合突起４０は、２つのアーム６８と７０との間であり継ぎ溝７２とスライド可能に係合し得る。このあり継ぎ配置は、組み立てられた火器１００において銃床１２０と受け器１１０との間で最小限にしか動かないようにするために、かなり厳密な公差を有し得る。アーチ形の止め溝７３は、あり継ぎ溝７２の底部を横断して延び、そして係合突起４０があり継ぎ溝７２内をスライドする場合に、係合突起４０に対する移動の最上点を規定する。
【００１３】
この第１のコネクタ１０は、一般に、図１に図示されるように、受け器１１０の後面に対して係合しかつ設置されるように適合された、前側取り付け部分１２を備える。大直径の孔１８と小直径の孔２０とを備える階段状の開口部または階段状の孔１６は、第１のコネクタ１０を貫通して延び得る。この階段状の孔１６は、第１のコネクタ１０を受け器１１０に固定するために、孔１６を貫通してかつ受け器１１０の中へと延びる留め具２２（例えば、ネジ、リベットまたはボルト）（図５に示される）を受容するように適合され得る。この第１のコネクタ６０はまた、種々の他の機構（例えば、溶接、接着剤（例えば、エポキシ、または他の類似の接着材料））によって、受け器１１０に装着され得る。
【００１４】
図２を参照すると、前側取り付け部分１２は、第１のコネクタ１０の外周（ｐｅｒｉｐｈｅｒｙ）の周りに拡がる周囲リリーフ３２を備える。このリリーフ３２は、第１のコネクタ１０の面３４が、この受け器１１０の後面に対して支えられているようにする一方で、突出部分３６は、受け器１１０の空洞または溝の中へと延びる。受け器１１０への第１のコネクタ１０の装着は、図５〜７を参照ながら、さらに詳細に議論される。この第１のコネクタ１０はまた、下向き突出部３８、３９を備え、これらの突出部は、一般に、受け器１１０の輪郭（ｐｒｏｆｉｌｅ）に対して、外側の輪郭が一致する。
【００１５】
図３および４に示されるように、この係合突起４０は、２つの突出縁部４２、４４および横方向に延びるロックスロットまたは溝４６を備える。このロック溝４６は、断面がアーチ形であり得る。この断面は、このロック部材６４の外周にほぼ対応するように適合され得る。横方向の受容開口部または孔７４は、第２のコネクタ６０を貫通して延び、このロック部材６４を受容するように適合されている。この受容開口部７４は、第１の横方向孔７６（図２に示される）、横方向スロットまたは溝７８、および第２の横方向孔８１を備える。この第１の孔７６および第２の孔８１、ならびに溝７８は、円形またはアーチ形の断面を有し得る。これらの断面は、ロック部材６４の外周にほぼ対応し得、１回以上の穿孔操作で形成され得る。この係合突起４０が、第２のコネクタ６０のあり継ぎ溝７２内で受容されて、このロック部材６４が、受容開口部７４内で受容される場合、このロック部材６４とロック溝４６との係合によって、係合突起４０は、アーム６８、７０から軸方向に平行移動しないように、かつスライドして外れないようにされる。このロック部材６４は、それにより、第１のコネクタ１０の位置を第２のコネクタ６０に対して固定する。
【００１６】
この受容開口部７４は、本明細書で、上記孔７６、８１およびスロットまたは溝７８が、火器１００の長手軸に対してほぼ垂直または横方向に延びることを示すために、「横方向」として記載される。この火器１００の長手軸は、火器の銃身の軸にほぼ対応し得る。しかし、用語「横方向」とは、火器の長手軸に対して厳密に垂直であることを要求しない。
【００１７】
図３を参照すると、この第２のコネクタ６０はまた、銃床１２０の内部に延びて銃床１２０を係合する、突出スタッドまたは突起または支柱８０を備え得る。階段状の孔または階段状の開口部８２は、第２のコネクタ６０を銃床１２０に固定するために、この第２のコネクタ６０を貫通して延びて、留め具（例えば、ネジまたはボルト）を第２のコネクタの中に受容し得る。このスタッド８０は、第２のコネクタ６０と一体化するように機械加工されてもよいし、ネジによる配置または別の装着機構によってこのコネクタ６０に装着される取り外し可能な部品であってもよい。この第２のコネクタ６０はまた、種々の留め具または他の機構（例えば、溶接、接着剤（例えば、エポキシまたは他の類似の接着材料））によって、銃床１２０に装着され得る。
【００１８】
図５〜９は、銃床コネクタ５を用いる火器１００についての組み立て工程を例示する。図５および図６を参照すると、第１のコネクタ１０は、まず、受け器１１０の受け器取り付け空洞または溝１１２内に取り付けられ、留め具２２は、孔１６を貫通するように押し込まれ、ネジ山付きメス留め具１１４（これは、受け器１１０の後面に接続されている）にネジ式に通される。このメス留め具１１４は、例えば、ナットであり得る。この留め具２２は、メス留め具１１４に締められ、第１のコネクタ１１０を取り付け溝１１２の中に固定する。図６は、受け器１１０の中に完全に設置された第１のコネクタ１０を図示する。この第１のコネクタ１０が受け器１１０の中に設置されている場合、この突出部分３６は、取り付け溝１１２内に受容され、周囲リリーフ３２によって形成される面３４は、受け器１１０の後面に対して載せられる。
【００１９】
図７は、第１のコネクタ１０および受け器１１０の断面図である。図７に示されるように、このメスコネクタ１１４は、銃床ボルトナットと類似であり得る。このメスコネクタ１１４は、在来型の改変されていない火器において、銃床ボルトナットをメスコネクタ１１４（これは、その銃床ボルトナットと類似であってもよいし、代表的には、その銃床ボルトナットより小さくてもよい）と交換することによって、取り付けられ得る。この受け器基部は、次いで、受け器基部ネジによって所定の場所に保持される。
【００２０】
図８は、銃床１２０に対する第２のコネクタ６０の設置を図示する。この第２のコネクタ６０は、銃床取り付け溝内に、銃床１２０の内部へと延びるスタッド８０（図８には示されない）を用いて配置される。留め具（示さず）は、孔８２の中へ、そして銃床１２０のネジ山付きメス部分（示さず）へと挿入される。一実施形態において、留め具で締める前に、銃床１２０への安定な接続を確実にするために、銃床１２０と接触することになる第２のコネクタ６０の一部に、接着剤が配置される。
【００２１】
図９は、第１のコネクタ１０の係合突起４０を第２のコネクタ６０のあり継ぎ溝７２内に取り付けることによる、銃床１２０への受け器１１０の接続を図示する断面図である。これは、銃床１２０を、第２のコネクタ６０に沿って、受け器１１０および第１のコネクタ１０の上に上げることによって行われる。次いで、このあり継ぎ溝７２は、止め突出部４８（図３）が、止め溝７３（図２）の頂部と接触するまで、係合突起４０を下方向にスライドされる。次いで、このロック部材６４は、受容開口部７４の中に挿入される。このロック部材６４は、係合突起４０における溝４６を係合し、あり継ぎ溝７２内で突起４０が垂直方向に平行移動しないようにする。
【００２２】
図１０は、ロック部材６４の詳細図である。このロック部材６４は、例えば、ロッドまたはピンの形態を有し得る。このロック部材６４は、例えば、ユーザーが部材６４を銃床コネクタ５から容易に外し、それにより火器受け器を銃床から素早く分離することを可能にする、プルリング８３を有し得る。このロック部材６４はまた、保持デバイス８５を一方の端部に備え得る。この保持デバイス８５は、この部材６４において開口８７から外側に向かって付勢されている、バネ装填ロッドまたはボール８６を備え得る。図２も参照すると、このロッドまたはボール８６は、受容開口部７４の中に部材６４を取り付けるために押し下げられ得、そして一旦ヘッド８８が第２のコネクタ６０に隣り合うと、この保持デバイス８５は、受容開口部７４の外側に位置し、開口部７４内にこの部材６４を固定する。この保持デバイス８５は、ロック部材６４を受容開口部７４から外すために押し下げられ得る。このリング８３は、他の把持可能な要素（例えば、ひも、鎖または類似のデバイス）と置き換えられてもよい。この保持デバイス８５は、他の固定機構（例えば、ロック部材６４における孔を貫通して延びるコッターピン）と置き換えられてもよい。
【００２３】
図１１は、第２のコネクタ２６０の代替的実施形態を使用する受け器１１０に装着され得る銃グリップ銃床２２０を図示する。本発明の一局面によれば、この第１のコネクタ１０は、第２のコネクタ６０、２６０のいずれかを装備した銃床に接続するために適切であり得る。この第２のコネクタ２６０は、上記で議論されるように、第２のコネクタ６０を銃床１２０に装着するのと類似の様式で、銃グリップ銃床２２０に装着され得る。第１のコネクタ１０を第２のコネクタ６０に固定するために使用されるそのロック部材６４はまた、第２のコネクタ２６０とともに使用するためにも適切であり得る。
【００２４】
図１２は、第２のコネクタ２６０およびロック部材６４の斜視図である。この第２のコネクタ２６０は、アーム２６８、２７０を有し、このアームは、第１のコネクタ１０、係合突起４０とともにあり継ぎロック配置を形成する。アーチ形止め溝２７３は、あり継ぎ溝２７２の底部にわたって延び、係合突起４０があり継ぎ溝２７２内でスライドする場合、係合突起４０についての移動の最上地点を規定する。横方向の受容開口部または孔２７４は、第２のコネクタ２６０を貫通して延び、ロック部材６４を受容するように適合されている。
【００２５】
図１３および図１４も参照すると、受容開口部２７４は、第１の横方向の孔２７６、横方向のスロットまたは溝２７８、および第２の横方向の孔２８１を備える。これら孔２７６、２８１、および溝２７８は、ロック部材６４の外周にほぼ対応し得、１回の穿孔操作で形成され得る、円形断面またはアーチ状断面を有し得る。この係合突起４０が第２のコネクタ２６０のあり継ぎ溝２７２内に受容され、そしてロック部材６４が受容開口部２７４内に受容される場合、ロック部材６４とロック溝４６との係合は、係合突起４０がアーム２６８、２７０から外れないようにする。このロック部材６４は、それにより、第２のコネクタ２６０に対して第１のコネクタ１０の位置を固定させる。
【００２６】
この受容開口部２７４は、本明細書で、孔２７６、２８１およびスロットまたは溝７８が、火器１００の長手軸に対してほぼ垂直または横方向に延びていることを示すために、「横方向」と記載される。しかし、この用語「横方向」は、この火器の長手軸と厳密に垂直であることは要求しない。
【００２７】
図１２および図１４は、第２のコネクタ２６０が、輪郭線（ｃｏｎｔｏｕｒ）２９０、２９２（これは、銃床２２０の輪郭線に嵌るように適合され得る）にほぼ沿って傾斜を付けられていることが例示される。従って、この第２のコネクタ２６０の輪郭線は、特定の銃床（例えば、種々の銃グリップ銃床、折りたたみ式銃床、および標準長の銃床）と合うことが所望されるので、種々の異なる構成またはデザインで形成され得る。
【００２８】
この第２のコネクタ２６０はまた、銃床２２０の中に延びて係合する、突出ロッドまたは支柱２８０を備え得る。このロッド２８０は、第２のコネクタ２６０を銃床２２０内に安定させる。このロッド２８０は、第２のコネクタ２６０を銃床２２０に固定するために、孔または開口部（これは、留め具（例えば、ネジまたはボルト）を銃口または開口部の中に受容するように適合されている）を備え得る。このロッド２８０は、第２のコネクタ２６０と一体化するように機械加工され得るか、またはネジ山付き配置もしくは他の装着機構によって、コネクタ２６０に装着される、取り外し可能な部品であり得る。この第２のコネクタ２６０はまた、種々の留め具または他の機構（例えば、溶接、接着剤（例えば、エポキシまたは他の類似の接着材料））によって、銃床２２０に装着され得る。
【００２９】
図１５は、第１のコネクタ１０の係合突起４０を第２のコネクタ２６０のあり継ぎ溝２７２内に取り付けることによって、受け器１１０を銃床２２０に接続することを図示する断面図である。このことは、銃床２２０を、第２のコネクタ２６０に沿って受け器１１０および第１のコネクタ１０の上に上げることによって行われる。次いで、このあり継ぎ溝２７２は、止め突出部４８（図３）が、止め溝２７３（図１２）の頂部と接触するまで、係合突起４０を下方向にスライドされる。次いで、このロック部材６４は、受容開口部２７４の中に挿入される。このロック部材６４は、係合突起４０における溝４６を係合し、あり継ぎ溝２７２内で突起４０が垂直方向に平行移動しないようにする。
【００３０】
図１５は、第２のコネクタ２６０の一実施形態を図示する。ここでロッド２８０は、第２のコネクタ２６０の残りの部分と一体化して形成されない。このロッド２８０は、銃床に設置する前に、第２のコネクタ２６０に装着されてもよいし、第２のコネクタ２６０は、受け器の頂部、底部または側部から延び、かつ第２のコネクタ２６０の中に延びる他の機構（例えば、留め具）によって銃床に装着され得る。代替的な固定法（例えば、溶接）が使用される場合、さらなる留め具または接着剤は、不要である可能性がある。
【００３１】
分解については、このロック部材６４は、迅速にかつ容易にロック解除され得、その後、第２のコネクタ２６０の受容開口部２７４から引っ張られる。その後、この銃床２２０は、銃床をきれいにするか、維持管理するか、代替の銃床と変更するか、または他の目的のために、受け器１１０との係合から外れるようにスライドされ得る。
【００３２】
図１６は、第２のコネクタ３６０内に取り付けられた保持デバイス３７０を備える、第２のコネクタ３６０の代替的実施形態を図示する。この第２のコネクタ３６０は、受容開口部３８０を備え、図１２において図示される第２のコネクタ２６０と、同じような大まかな形状および構成のものであり得る。しかし、この第２のコネクタ３６０は、保持デバイス３７０を備え、別個の保持デバイスは、ロック部材において必要とされない。この保持デバイス３７０は、孔３６２の中に取り付けられた中空円筒状ハウジング３７２、およびこのハウジング３７２内に取り付けられたプランジャー３７４を備える。
【００３３】
このプランジャー３７４は、例えば、バネ（示さず）によって、ハウジング３７２内で付勢され得る。このハウジング３７２、バネおよびプランジャー３７４が孔３６２内に配置される場合、プランジャー３７４の端部は、受容開口部３８０の中に短距離だけ延びる。このハウジング３７２は、孔３６２の内部ネジ山に嵌る外部ネジを備え得る。その結果、このハウジング３７２は、孔３６２の中へ任意の望ましい距離だけ挿入され得る。ロック部材３６４（図１６において断面で示される）は、保持デバイスなしで、上記で議論されるロック部材６４の構成と同じような大まかな構成を有し得る。このロック部材３６４はまた、溝３６８を有し、この溝は、円錐形であり得、その外周に形成され得る。この溝３６８は、プランジャー３７４の頂部と係合するような大きさにされる。このバネで負荷されたプランジャー３７４は、溝３６８と係合して、ロック部材３６４が受容開口部３８０の中に挿入された場合に、受容開口部３８０の中にロック部材３６４を保持する。このバネの付勢は、ロック部材３６４の端部にしっかりと押しつけることによって、個人がロック部材３６４を受容開口部３８０から動かし得るように、十分軽い。
【００３４】
図１７は、第２のコネクタ４６０内に取り付けられた保持デバイス４７０を備える、第２のコネクタ４６０のなお別の代替的実施形態を図示する。この第２のコネクタ４６０は、受容開口部４８０を備え、図２に図示される第２のコネクタ２６０と同じようなおおまかな形状および構成であり得る。この保持デバイス４７０は、孔４６２の中に取り付けられた中空円筒状ハウジング４７２、およびこのハウジング４７２内に取り付けられたプランジャー４７４を備える。このプランジャー４７４は、例えば、バネ（示さず）によって、ハウジング４７２内に付勢され得る。このハウジング４７２、バネ、およびプランジャー４７４が孔４６２内に配置される場合、プランジャー４７４の端部は、受容開口部４８０の中に短距離だけ延びる。ロック部材４６４（図１７に断面で示す）は、保持デバイスなしで、上記で議論されるロック部材６４の構成と同じような大まかな構成を有し得る。このロック部材４６４はまた、溝４６８を有し、この溝は、円錐形であり得、その外周に形成され得る。この溝４６８は、プランジャー４７４の頂部と係合するような大きさにされる。このバネを装填したプランジャー４７４は、溝４６８と係合して、ロック部材４６４が受容開口部４８０の中に挿入された場合に、受容開口部４８０の中にロック部材４６４を保持する。このバネの付勢は、ロック部材４６４の端部にしっかりと押しつけることによって、個人がロック部材４６４を受容開口部４８０から動かし得るように、十分軽い。
【００３５】
代替の第２のコネクタ３６０、４６０は、上記で議論されるように第１のコネクタ１０と係合可能であり、上記で議論される第２のコネクタの実施形態と同じ原理によって作動し得る。
【００３６】
上記の実施形態に従って、この銃床コネクタ５は、火器の銃床の種々の型、デザインまたは構成（銃グリップ、折りたたみ式銃床、在来型の標準長の銃床、および他の銃床組み立て体）を素早くかつしっかりと接続するために使用され得る。
【００３７】
この銃床コネクタ５は、ユーザーが、ツールの使用を要することなく、種々の銃床と受け器とを素早くかつ容易に嵌めることを可能にする。さらに、さらなるまたは外部留め具は、銃床の変更のために必要とされない。従って、銃床コネクタ５は、野外にいる場合を含め、より高い融通性および火器銃床を変更する性能を提供する。野外での融通性は、戦闘状況（例えば、銃身の短い突破用散弾銃または他の火器が、急激に変化する使命の要件に直面して、より多くの在来型の戦闘用火器に素早くかつしっかりと部品変更されなければならない場合）に特に実用的である。例えば、銃グリップ銃床（例えば、図１１に示される銃床２２０）は、より速いスピードおよび移動が必要とされる接近戦の状況のために、散弾銃で使用され得る。接近戦の後、散弾銃または他の火器は、離れた所からのより高い精度およびコントロールが求められる場合、旋状散弾または類似の弾丸を発射するために、標準長の銃床（例えば、図１に示される銃床１２０）で素早く部品交換され得る。
【００３８】
従って、この銃床コネクタ５は、銃所持者が単一の受け器を複数の用途に適合できるようにする。例えば、第１のコネクタ１０および第２のコネクタ６０、２６０のうちの１つ以上を含むキットは、このような用途に適合するように組み立てられ得る。このキットはまた、種々の使命または状況に適した１つ以上の銃床を含み得る。例えば、キットは、第１のコネクタ１０、銃床１２０、銃グリップ銃床２２０、ロック部材６４、および第２のコネクタ６０、２６０、３６０、４６０のうちの１つ以上を含み得る。このキットは、火器受け器の種々の型に嵌るように適合され得る。折りたたみ式銃床および他の銃床はまた、対応するコネクタとともに含まれ得る。
【００３９】
この第１のコネクタ１０は、剛性材料（例えば、鋼、アルミニウム、および他の材料）、または他の高強度材料（合成材料またはプラスチック材料が挙げられる）から形成され得る。この第２のコネクタ６０、２６０およびロック部材６４は、同様の材料から形成され得る。
【００４０】
メスコネクタ１１４は、銃床ボルトナットを、メスコネクタ１１４（これは、その銃床ボルトナットに類似であってもよいし、代表的には、その銃床ボルトナットより小さくてもよい）と交換することによって、在来型の改変されていない火器の中に設置され得る。例えば、ＲＥＭＩＮＧＴＯＮＴＭ  ８７０モデル散弾銃は、改変せずに、銃床コネクタ５を適合させ得る。上記で議論されるコネクタの実施形態は、例えば、このコネクタの輪郭線を、他の火器モデルに嵌るように変更することによって、適合され得る。
【００４１】
このロック部材６４、３６４、４６４は、任意のロッド様の細長い要素であり得、円形またはアーチ形の断面を有する必要はない。平らな側面が、ロック部材３６４、４６４において、それらのそれぞれの受容開口部３８０、４８０の平らな部分に沿って、溝３６８、４６８がそれらのそれぞれの孔３６２、４６２と整列することを確実にされるように備えられ得る。
【００４２】
上記の実施形態において、このスライド可能なあり継ぎ係合は、火器の垂直軸にそって向きが定められる。代替的実施形態において、このあり継ぎ係合は、火器の垂直軸に対して横方向または実質的に横方向に向きが定められ得る。この実施形態において、この受け器は、銃床の下ではなく、むしろ銃床に並べて配置され、この銃床と係合するようにスライドされる。この実施形態において、ロック部材は、火器の上から下向きに挿入することによって、第１のコネクタおよび第２のコネクタと、係合され得る。
【００４３】
上記で議論される実施形態は、散弾銃、ライフル、および他の銃身が長い銃において有用であると記載される。当業者は、本発明がさらに、火器の種々の他の型における使用のために同様に適合され得ることを認識する。
【００４４】
上記の実施形態において、このあり継ぎ溝は、第２のコネクタと関連づけられ、この第２のコネクタは、銃床に接続され、この係合突起は、第１のコネクタと関連づけられ、この第１のコネクタは、受け器に接続される。しかし、このあり継ぎ溝は、代わりに、第１のコネクタの一部であり得、そしてこの係合突起は、第２のコネクタの一部であり得る。
【００４５】
上記の実施形態は、受け器と銃床との間のあり継ぎ接続を開示する。代替的実施形態は、ほぞ穴係合（ｍｏｒｔｉｓｅ／ｔｅｎｏｎ  ｅｎｇａｇｅｍｅｎｔ）を包含する。銃床または受け器のいずれかと関連づけられたコネクタには、ほぞが設けられ得、他方のコネクタには、ほぞ穴が設けられ得る。このコネクタのほぞ穴とほぞは、上記のあり継ぎと同じ様式でスライド可能に係合され得る。ほぞ穴接続（ｍｏｒｔｉｓｅ／ｔｅｎｏｎ  ｃｏｎｎｅｃｔｉｏｎ）と横方向に係合可能であり得るロック部材は、これらのコネクタが固定されることを確実にし得る。１つのこのような実施形態において、火器の銃床コネクタ組み立て体は、内部に形成されたに少なくとも１つのほぞ穴を備える係合突起を有するコネクタ、および内部に形成された少なくとも１つのほぞを有する第２のコネクタを備え、ここでこの第２のコネクタのほぞは、第１のコネクタのほぞ穴を係合するように適合される。
【００４６】
なおさらに別の実施形態において、一方のコネクタは、他方のコネクタの受容開口部と回転可能に係合される突出突起を有し得る。
【００４７】
本発明は、好ましい実施形態を参照しながら、上記で議論されてきたが、種々の追加、改変および変形が、本発明の趣旨および範囲を逸脱することなく本発明に対してなされ得ることが当業者によって理解される。
【図面の簡単な説明】
【００４８】
【図１】図１は、第１の実施形態に従う銃床コネクタを備える、部分的に分解された火器の斜視図である。
【図２】図２は、第１の実施形態に従う銃床コネクタの分解斜視図である。
【図３】図３は、第１の実施形態に従う銃床コネクタの分解斜視図である。
【図４】図４は、第１の実施形態に従う銃床コネクタの上から見た分解斜視図である。
【図５】図５は、第１の実施形態に従う銃床コネクタを用いる火器を組み立てるための組み立て工程の斜視図である。
【図６】図６は、第１の実施形態に従う銃床コネクタを用いる火器を組み立てるための組み立て工程の斜視図である。
【図７】図７は、第１の実施形態に従う銃床コネクタを用いる火器を組み立てるための組み立て工程の断面図である。
【図８】図８は、第１の実施形態に従う銃床コネクタを用いる火器を組み立てるための組み立て工程の斜視図である。
【図９】図９は、第１の実施形態に従う銃床コネクタを用いる火器を組み立てるための組み立て工程の斜視図である。
【図１０】図１０は、ロック部材の斜視図である。
【図１１】図１１は、第２の実施形態に従う銃グリップ銃床および銃床コネクタを有する分解された火器の斜視図である。
【図１２】図１２は、第２の実施形態に従う銃床コネクタの第２のコネクタの斜視図である。
【図１３】図１３は、第２の実施形態に従う銃床コネクタの上からの分解斜視図である。
【図１４】図１４は、第２の実施形態に従う第２のコネクタの斜視図である。
【図１５】図１５は、第２の実施形態に従う銃床コネクタを用いる火器を組み立てるための組み立て工程の断面図である。
【図１６】図１６は、保持デバイスを備える第２のコネクタの代替的実施形態を例示する。
【図１７】図１７は、保持デバイスを備える第２のコネクタのさらなる代替的実施形態を例示する。
【図１】
2007525636.tif 000003
【図２】
2007525636.tif 000004
【図３】
2007525636.tif 000005
【図４】
2007525636.tif 000006
【図５】
2007525636.tif 000007
【図６】
2007525636.tif 000008
【図７】
2007525636.tif 000009
【図８】
2007525636.tif 000010
【図９】
2007525636.tif 000011
【図１０】
2007525636.tif 000012
【図１１】
2007525636.tif 000013
【図１２】
2007525636.tif 000014
【図１３】
2007525636.tif 000015
【図１４】
2007525636.tif 000016
【図１５】
2007525636.tif 000017
【図１６】
2007525636.tif 000018
【図１７】
2007525636.tif 000019
【国際調査報告】
2007525636.tif 000020
2007525636.tif 000021